(57)【要約】【課題】エネルギーロスを低減しつつ良好な乾燥が可能な乾燥装置を構成する。【解決手段】バーナ１０からの燃焼ガスが送られる燃焼ガス流路１１と、この燃焼ガス流路１１に形成したチャンバーＣと、乾燥室Ｒからの乾燥処理済ガスをチャンバーＣに供給する還流路１５とが形成されている。チャンバーＣが、燃焼ガス流路１１からの燃焼ガスを受け入れる供給口２４と、還流路１５からの乾燥処理済ガスを受け入れるためチャンバーＣの内部空間に突出するダクト２５と、チャンバーＣの内部のガスを送り出す排出口２６とが形成されている。【選択図】図１
2020151024.tif 000002
【特許請求の範囲】
【請求項１】
バーナからの燃焼ガスが送られる燃焼ガス流路と、前記燃焼ガス流路からの燃焼ガスが供給される乾燥室と、前記乾燥室からの乾燥処理済ガスが排気ファンにより送られるガス排出流路とが備えられた乾燥装置であって、
前記燃焼ガス流路にチャンバーが形成され、前記ガス排出流路に流れる乾燥処理済ガスの一部を前記チャンバーに供給する還流路が形成されると共に、
前記チャンバーが、前記燃焼ガス流路の上流側からの燃焼ガスを受け入れるため当該チャンバーの壁面に形成された供給口と、前記還流路からの乾燥処理済ガスを受け入れるため当該チャンバーの壁面から内部空間に突出するダクトと、当該チャンバーの内部空間のガスを前記燃焼ガス流路の下流側に送り出すため当該チャンバーの壁面に形成された排出口とが形成されている乾燥装置。
【請求項２】
前記供給口が、前記チャンバーの内部空間に供給される燃焼ガスを前記ダクトの外面に衝突させるように開口位置が設定されている請求項１に記載の乾燥装置。
【請求項３】
前記排出口が、前記供給口から燃焼ガスが送り出される方向と、前記ダクトから乾燥処理済ガスが送り出される方向との何れに対しても交差する方向に前記内部空間のガスを送り出すように排出方向が設定されている請求項１又は２に記載の乾燥装置。
【発明の詳細な説明】
【技術分野】
【０００１】
本発明は、バーナからの燃焼ガスが送られる燃焼ガス流路と、燃焼ガス流路からの燃焼ガスが供給される乾燥室と、乾燥室からの乾燥処理済ガスが排気ファンにより送られるガス排出流路とが備えられた乾燥装置に関する。
【背景技術】
【０００２】
上記構成の乾燥装置として特許文献１には、メインバーナの燃焼ガスを乾燥室に供給して被乾燥物の乾燥を行い、乾燥室から排気ファンで排出される乾燥処理済ガス（文献では乾燥用気体）の一部を乾燥室に戻す分岐管とを備えた構成が記載されている。
【先行技術文献】
【特許文献】
【０００３】
【特許文献１】特開２０１８−１２６２０２号公報
【発明の概要】
【発明が解決しようとする課題】
【０００４】
燃焼ガスを乾燥室に供給して乾燥を行う乾燥装置は、乾燥室から比較的高温の乾燥処理済ガスが排出されるため熱量を無駄に消費することになる。これに対し、特許文献１に記載されるように乾燥室から排出された乾燥処理済ガスの一部を乾燥室に戻す構成は、熱量の無駄な消費を抑制してエネルギーロスの低減が可能となる。
【０００５】
しかしながら、乾燥室から排出される乾燥処理済ガスの温度は燃焼ガスと比較して低温である。従って、特許文献１に記載されるように乾燥処理済ガス（乾燥用気体）を乾燥室に直接供給する構成では、燃焼ガスと乾燥処理済ガスとが適切に混合されないため、乾燥室の内部空間の温度が不均一になる現象を招き、例えば、乾燥室の一部の領域で良好な乾燥を行うものの、他の領域で乾燥不良を招くことも想像できた。
【０００６】
本発明は、かかる実情に鑑みてなされたものであって、その目的は、エネルギーロスを低減しつつ良好な乾燥が可能な乾燥装置を提供する点にある。
【課題を解決するための手段】
【０００７】
上記目的を達成するための本発明に係る乾燥装置は、バーナからの燃焼ガスが送られる燃焼ガス流路と、前記燃焼ガス流路からの燃焼ガスが供給される乾燥室と、前記乾燥室からの乾燥処理済ガスが排気ファンにより送られるガス排出流路とが備えられた乾燥装置であって、その特徴構成は、前記燃焼ガス流路にチャンバーが形成され、前記ガス排出流路に流れる乾燥処理済ガスの一部を前記チャンバーに供給する還流路が形成されると共に、前記チャンバーが、前記燃焼ガス流路の上流側からの燃焼ガスを受け入れるため当該チャンバーの壁面に形成された供給口と、前記還流路からの乾燥処理済ガスを受け入れるため当該チャンバーの壁面から内部空間に突出するダクトと、当該チャンバーの内部空間のガスを前記燃焼ガス流路の下流側に送り出すため当該チャンバーの壁面に形成された排出口とが形成されている点にある。
【０００８】
この特徴構成によると、燃焼ガス流路で送られる燃焼ガスと、乾燥装置から排出される乾燥処理済ガスの一部とがチャンバーにおいて混合され、混合された混合ガスが乾燥室に供給される。そして、チャンバーの内部空間にダクトが突出して形成されているため、チャンバーの内部で流れるガスをダクトに接触させることにより、ガスの流れを乱してガスの混合を促進し、乾燥室の温度分布の不均一を抑制できる。
【０００９】
特に、例えば、チャンバーの壁面に形成された開口から乾燥処理済ガスをチャンバーの内部空間に供給する構成（内部空間にダクトを突出させない構成）を想定すると、この想定の構成では、開口からチャンバーの内部空間に供給される乾燥処理済ガスが最短距離で排出口から送り出される不都合を招くものである。これに対し、本特徴構成のようにダクトを介して乾燥処理済ガスを内部空間に供給する構成では、乾燥処理済ガスが短絡的に排出される不都合を抑制するだけなく、ダクトの開口から排出された乾燥処理済ガスを、チャンバーのうちダクトの開口に対向する壁面に衝突させ、チャンバーの内部空間のガスの流れを乱すことも可能となる。更に、ダクトが外部からの熱で温度が上昇するため、ダクトの内部に流れる乾燥処理済ガスの温度上昇を図ることも可能となる。
従って、チャンバー内で燃焼ガスと乾燥処理済ガスとを良好に混合させる結果、エネルギーロスを低減しつつ良好な乾燥が可能な乾燥装置が構成された。
【００１０】
本発明に係る乾燥装置の更なる特徴構成は、前記供給口が、前記チャンバーの内部空間に供給される燃焼ガスを前記ダクトの外面に衝突させるように開口位置が設定されている点にある。
【００１１】
これによると、供給口から供給される燃焼ガスをダクトの外面に衝突させることで、燃焼ガスの流れを乱し、チャンバーの内部空間に拡散させることが可能となる。また、ダクトに燃焼ガスが衝突することによりダクトの温度を上昇させ、このダクトから排出される乾燥処理済ガスの温度上昇を図ることも可能となる。これにより、チャンバー内のガスの温度分布を平均化させることが可能となる。
【００１２】
本発明に係る乾燥装置の更なる特徴構成は、前記排出口が、前記供給口から燃焼ガスが送り出される方向と、前記ダクトから乾燥処理済ガスが送り出される方向との何れに対しても交差する方向に前記内部空間のガスを送り出すように排出方向が設定されている点にある。
【００１３】
これによると、供給口からチャンバー内に供給される燃焼ガスと、ダクトから供給される乾燥処理済ガスとの何れも、短絡的に排出口から排出さることがなく、チャンバーの内部空間でのガスの混合を良好に行わせることが可能となる。
【図面の簡単な説明】
【００１４】
【図１】乾燥装置の構成を示す図である。
【図２】チャンバーの横断平面と、縦断側面とを示す図である。
【図３】網状体に備えられる温度センサの配置と、温度センサの位置の記号とを示す図である。
【図４】第１実験のチャンバーの構造と、第１実験の結果を表す３次元グラフとを示す図である。
【図５】第２実験のチャンバーの構造と、第２実験の結果を表す３次元グラフとを示す図である。
【図６】第１実験と第２実験との実験結果を表す２次元グラフを示す図である。
【発明を実施するための形態】
【００１５】
以下、本発明の実施形態を図面に基づいて説明する。
〔全体構成〕
図１に示すように、乾燥室Ｒを内部に有した筐体１を備えると共に、都市ガス等の燃料を燃焼させるバーナ１０と、バーナ１０からの燃焼ガスを乾燥室Ｒに供給する燃焼ガス流路１１と、燃焼ガス流路１１に形成されたチャンバーＣと、乾燥室Ｒの乾燥処理済ガスを排出するガス排出流路１２と、このガス排出流路１２に備えられた排気ファン１３と、ガス排出流路１２に送られる乾燥処理済ガスの一部をチャンバーＣに供給する還流路１５とで乾燥装置Ａが構成されている。
【００１６】
乾燥装置Ａは、洗濯直後の衣料や、タオル、シーツ等の水分を含んだ乾燥対象物の乾燥を行う。この乾燥装置Ａは、乾燥室Ｒに横向きの駆動軸２ａによって回転自在なドラム２を備え、このドラム２を駆動回転するモータ３を備えている。筐体１には、燃焼ガス流路１１からの燃焼ガスを乾燥室Ｒに供給する供給ガイド壁４と、乾燥室Ｒから排出される乾燥処理済ガスを外部に案内する排出ガイド壁５とが形成されている。
【００１７】
チャンバーＣは、燃焼ガス流路１１から供給される燃焼ガスと、還流路１５から供給される乾燥処理済ガスとを混合して乾燥処理済ガスを含む燃焼ガス（混合ガスと称する）を作り出し、チャンバーＣより下流側の燃焼ガス流路１１に送り出す。図１に示すように還流路１５には開閉弁１６を備えている。また、チャンバーＣは、内部において温度の偏りが緩和された混合ガスを作り出すように構成されている。この構成については後述する。
【００１８】
前述したドラム２は、ステンレス材等を用いて有底筒状に形成され、外周壁に多数の貫通孔が形成されている。このドラム２は、筐体１の開閉扉（図示せず）の方向に開放する姿勢で備えられ、開閉扉を開放することでドラム２の内部に乾燥対象物を投入できる位置に配置されている。また、開閉扉を閉じ、バーナ１０に点火し、排気ファン１３を駆動し、ドラム２を駆動回転することにより乾燥対象物の乾燥が可能となる。
【００１９】
〔制御構成〕
この乾燥装置Ａでは、チャンバーＣより下流側の燃焼ガス流路１１に流れるガスの温度を計測する第１温度センサＳ１と、乾燥室Ｒから排出された乾燥処理済ガスの温度を計測する第２温度センサＳ２とを備えると共に、これらの計測信号が入力する制御装置６を備えている。
【００２０】
制御装置６は、バーナ１０に対する燃料（都市ガス）の供給量を調整する流量調整弁１０Ｖを制御し、ドラム２を駆動するモータ３を制御し、排気ファン１３を制御し、開閉弁１６を制御する。
【００２１】
このような構成から、乾燥装置Ａで乾燥を行う際には、制御装置６の制御によってバーナ１０で燃料の燃焼が行われると共に、モータ３によってドラム２が回転駆動され、排気ファン１３が駆動される。更に、第１温度センサＳ１で計測される温度が目標温度（１８０℃程度）に維持されるように制御装置６が流量調整弁１０Ｖでの燃料の供給量を制御する。尚、初期状態において、開閉弁１６は閉じ状態に維持される。
【００２２】
このような制御により、燃焼ガス流路１１から供給される燃焼ガス（開閉弁１６が開放する状態では混合ガス）が筐体１の供給ガイド壁４を介して乾燥室Ｒに供給される。そして燃焼ガスは、ドラム２の外周の多数の貫通孔からドラム２の内部に送り込まれ、乾燥対象物の乾燥が実現する。また、乾燥室Ｒを通過した乾燥処理済ガスは、排出ガイド壁５から排気ファン１３に送られ、ガス排出流路１２から外部に排出される。
【００２３】
このような初期の制御が継続し、第２温度センサＳ２で計測される温度が閾値（７０℃程度）を超えたことを判定した場合に、制御装置６が開閉弁１６を開放する。これにより、閾値を超えた高温の乾燥処理後ガスが、還流路１５からチャンバーＣに供給され、チャンバーＣにおいて燃焼ガス流路１１から供給される燃焼ガスと混合し、混合ガスとして乾燥室Ｒに供給される。
【００２４】
この乾燥装置Ａでは、チャンバーＣにおいて乾燥処理済ガスと燃焼ガスとを混合して混合ガスを作り出すため、バーナ１０から供給される燃焼ガスの温度上昇を図らずとも乾燥処理済ガスの熱量を利用して混合ガスの温度上昇を図り、燃料の無駄な消費を抑制している。特に、本実施形態のチャンバーＣは、燃焼ガスと乾燥処理済ガスとを均一に混合することで混合ガスの温度ムラを低減して良好な乾燥を可能にしている。
【００２５】
〔チャンバー〕
図１にはチャンバーＣの斜視図を示しており、図２の上段には、チャンバーＣの横断平面を示し、図２の下段にはチャンバーＣの縦断側面を示している。これらの図に示すように、チャンバーＣは、耐熱性と断熱性とに優れた材料で成る上壁２１と、底壁２２と、４つの側壁２３とを備えている。本実施形態では、上壁２１と、底壁２２と、４つの側壁２３とが等しいサイズの正方形として形成されている。これにより、上壁２１と底壁２２とは互いに平行する位置関係で配置され、４つの側壁２３のうち互いに対向するもの同士が平行する位置関係となる。
【００２６】
本実施形態では、チャンバーＣが上面視と、正面視と、側面視とにおいて正方向形となるが、チャンバーＣの形状は、これに限るものではなく、例えば、平面視で上壁２１と底壁２２とが長方形や、五角形等の多角形に形成されるものであっても良い。
【００２７】
図１、図２に示すように、燃焼ガス流路１１の上流側に連通する供給口２４が、４つの側壁２３の１つ形成されている。また、還流路１５に連通するダクト２５が、供給口２４が形成された側壁２３に隣接する側壁２３から内部空間に向けて突設されている。このダクト２５は金属材を円筒形に成形したものであり、突出端が、突出方向で対向する側壁２３に対して比較的近接する位置に達するように突出量が設定されている。
【００２８】
このチャンバーＣでは供給口２４が、側壁２３の横方向での中央（図２の上段では上下方向の中央）に形成されているため、ダクト２５の突出量は側壁２３の横幅（内部空間に露出する部位の横幅）の１／２を超えることが必要となる。特に、ダクト２５の開口から排出される乾燥処理済ガスがチャンバーＣの側壁２３に衝突してガスの乱流を作り出すことを考えると、ダクト２５の突出量は、側壁２３の横幅（内部空間に露出する部位の横幅）の７０〜９０％であることが望ましい。
【００２９】
燃焼ガス流路１１の下流側に連通する排出口２６が底壁２２に形成され、更に、チャンバーＣの内部で排出口２６の上方を覆う位置に網状体２７が配置されている。この網状体２７は、外周部分が４つの側壁２３との間に隙間が形成されないサイズで形成され、排出口２６から上方に所定距離だけ離間する位置に支持されている。
【００３０】
特に、このチャンバーＣは、供給口２４が形成された側壁２３と直交する方向視において、供給口２４の中心とダクト２５の中心とが重複するように相対的な位置関係が設定されている。これにより、供給口２４から供給される燃焼ガスが、ダクト２５に衝突し、上下に分かれて流れることになる。
【００３１】
また、チャンバーＣの内部空間に供給口２４から供給される燃焼ガスがダクト２５の外面に衝突することにより、燃焼ガスの熱によってダクト２５の温度を上昇させると共に、この燃焼ガスがダクト２５の上下方向に分流する際に、ガスの流れが乱される。
【００３２】
更に、ダクト２５から排出された乾燥処理済ガスは、対向する側壁２３の内面によって流れが遮られるため、一部は側壁２３に沿って流れ、残余は側壁２３から離間する方向に流れ、乱流が作り出される。前述したように供給口２４から供給された燃焼ガスがダクト２５に衝突して乱流となるため、この燃焼ガスと乾燥処理済ガスとがチャンバーＣの内部空間で撹拌されるように流れ、結果として燃焼ガスと乾燥処理済ガスとが良好に混合した混合ガス（乾燥処理済ガスを含む燃焼ガス）が作り出される。
【００３３】
乾燥装置Ａで乾燥が行われる際には、排気ファン１３が駆動されるため乾燥室Ｒに負圧が作用する。従って、チャンバーＣの内部空間では、混合ガスが排出口２６に流れ、網状体２７に接触することにより、更に撹拌が行われ、温度にムラのない混合ガスが、燃焼ガス流路１１の下流側から乾燥室Ｒに供給される。
【００３４】
〔混合状態を確認する実験結果〕
チャンバーＣの内部空間において乾燥処理済ガスと燃焼ガスとの混合状態を確認するために第１実験と第２実験とを行っており、これらの実験に用いた温度センサＴの配置を図３に示し、実験結果を図４〜図６に示している。
【００３５】
図３に示すように、これらの実験では、網状体２７の２５箇所に等間隔で備えた温度センサＴでガスの温度を計測している。また、これら複数の温度センサＴの計測値の判別を可能にするため、複数の温度センサＴの位置をＣＨ１〜ＣＨ２５として示している。
【００３６】
第１実験では、図４に示すように実施形態で説明した構成と類似する構造のチャンバーＣが用いられているが、ダクト２５を備えずに側壁２３の一つに還元開口１５Ｈが形成されている。この第１実験の結果の温度分布を立体的な形状から把握可能な３次元グラフとして図４に示しており、２５箇所の温度センサＴの各々で計測された温度を図６に２次元グラフとして示している。
【００３７】
尚、図４に示す３次元グラフではＸ軸方向とＹ軸方向とを、図３に示す網状体２７の平面視におけるＸ軸方向とＹ軸方向と対応させ、Ｘ軸方向とＹ軸方向とに直交する方向に温度の計測値（℃）を取っている。
【００３８】
また、図６に示す２次元グラフは、第１実験において、２５箇所に温度センサＴを識別する数値（ＣＨ１〜ＣＨ２５）を横軸に取り、各々の温度センサＴで計測された温度を縦軸に取り、個々の温度の計測値を◇印として示し、この◇印を直線で結んだ構造を有している。
【００３９】
図４に示す３次元グラフと、図６に示す２次元グラフとから判断して、第１実験では、網状体２７のうち、還元開口１５Ｈに近い位置の温度が低く、この還元開口１５Ｈから離れた位置ほど温度が高く、温度差も大きく、ガスの混合が不充分であることが理解できる。このようにチャンバーＣの排出口２６から排出される混合ガス（乾燥処理済ガスと混合した燃焼ガス）の温度は、排出口２６の断面においても温度の分布が平均化されず、結果として、乾燥室Ｒに供給される混合ガスの温度に偏りのあるものとなる。
【００４０】
これに対し、第２実験では、図５に示すように実施形態で説明した構成のチャンバーＣが用いられている。この第２実験の結果の温度分布を立体的な形状から把握可能な３次元グラフとして図５に示しており、２５箇所の温度センサＴの各々で計測された温度を図６に２次元グラフとして示している。
【００４１】
この第２実験でも、図５に示す３次元グラフではＸ軸方向とＹ軸方向とを、図３に示す網状体２７の平面視におけるＸ軸方向とＹ軸方向と対応させ、Ｘ軸方向とＹ軸方向とに直交する方向に温度の計測値（℃）を取っている。
【００４２】
また、図６に示す２次元グラフは、第２実験において、２５箇所に温度センサＴを識別する数値（ＣＨ１〜ＣＨ２５）を横軸に取り、各々の温度センサＴで計測された温度を縦軸に取り、個々の温度の計測値を■印として示し、この■印を直線で結んだ構造を有している。
【００４３】
図５に示す３次元グラフと、図６に示す２次元グラフとから判断して、第２実験では、第１実験と比較して、網状体２７のうち、ダクト２５の基端に近い位置の温度と、このダクト２５の開口に近い位置の温度との温度差が小さく、温度分布が平均化していることが理解できる。このようにチャンバーＣの排出口２６から排出される混合ガス（乾燥処理済ガスと混合した燃焼ガス）の温度は平均化する。
【００４４】
〔実施形態の作用効果〕
このように、ダクト２５と、供給口２４と、排出口２６と、網状体２７との配置により、チャンバーＣの内部において乾燥処理済ガスと燃焼ガスとの何れもが排出口２６に短絡的に流れる不都合を抑制するだけでなく、チャンバーＣの内部に乱流を作り出して乾燥処理済ガスと燃焼ガスとの良好な混合が実現する。
【００４５】
また、チャンバーＣで混合した混合ガスは、先に説明した実験結果から明らかなように排出口２６から送り出される時点で、この排出口２６の断面に沿う方向での温度分布が平滑化する。その結果、乾燥室Ｒに、乾燥処理済ガスと混合した燃焼ガス（混合ガス）を乾燥室Ｒに供給することにより、偏りのない均一な乾燥を実現するだけでなく、エネルギーロスを低減しつつ良好な乾燥を実現する。
【００４６】
また、乾燥を行う際にバーナ１０から燃焼ガスを乾燥室Ｒに供給した後に、第２温度センサＳ２で計測される温度が閾値を超えるまで開閉弁１６を閉じ状態に維持されるので、乾燥装置Ａで乾燥を開始した初期において、低温の乾燥処理済ガスが乾燥室Ｒに供給される不都合を解消して無理のない乾燥を可能にする。
【００４７】
なお、上記実施形態（下記の別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【００４８】
〔別実施形態〕
本発明は、上記した実施形態以外に以下のように構成しても良い（実施形態と同じ機能を有するものには、実施形態と共通の番号、符号を付している）。
【００４９】
（ａ）チャンバーＣの形状は実施例において一部説明しているが、この説明の他に、例えば、断面形状が球状や楕円状の内部空間を有するものや、凹凸を有する壁面で取り囲まれる内部空間を備えて構成することも可能である。また、チャンバーＣの壁面が曲面となるものでは、排出口２６を任意の位置に形成しても良い。
【００５０】
この別実施形態（ａ）では、チャンバーＣを任意の形状に設定できるため、乾燥装置ＡにおいてチャンバーＣの配置の自由度が増し、設計も容易となる。特に、チャンバーＣの内面の形状が非平滑化するものでは、内部空間でのガスの流れを乱して撹拌を促進し、良好な混合を実現する。
【００５１】
（ｂ）供給口２４からダクト２５に衝突するように燃焼ガスを供給する構成として、例えば、ダクト２５の上面近くや、下面近くに燃焼ガスを衝突させるように、供給口２４からの燃焼ガスの送出方向を設定する。
【００５２】
この別実施形態（ｂ）の構成では、燃焼ガスのうちダクト２５に衝突しない一部のものをチャンバーＣの内部に供給することで、比較的高速となる燃焼ガスの流れをチャンバーＣの内部に作り出し、燃焼ガスと乾燥処理済ガスとの撹拌を促進できる。
【００５３】
（ｃ）供給口２４からチャンバーＣの内部空間に燃焼ガスを供給する方向と、ダクト２５の姿勢とは必ずしも直交する必要はなく、所定の角度で交差するように位置関係を設定できる。
【００５４】
（ｄ）乾燥装置Ａとして、筐体１の形状を任意に設定することが可能であり、例えば、ドラム２を備えない構成のものでも良い。
【００５５】
（ｅ）チャンバーＣにおいて、供給口２４とダクト２５と排出口２６との位置関係は、実施形態や、既に説明した別実施形態の構成に限るものはなく、任意に設定することが可能である。具体例として、例えば、ダクト２５が備えられる側壁２３に排出口２６を形成することや、上壁２１に排出口２６を形成することも考えられる。
【００５６】
（ｆ）別実施形態（ｅ）の変形例として、供給口２４の位置を側壁２３の横方向での中央よりダクト２５の基端側に偏位したものを想定することも可能である。このような想定では、ダクト２５の突出量を実施形態に示したものより短くすることも考えられる。更に、ダクト２５が緩やかに湾曲する形状のものを用いることも考えられる。また、ダクト２５は、断面形状が円形に限るものではなく、断面形状を多角形や長円等の非円形に設定することも可能である。
【産業上の利用可能性】
【００５７】
本発明は、バーナからの燃焼ガスを乾燥室に供給する構成の乾燥装置に利用できる。
【符号の説明】
【００５８】
１０        バーナ
１１        燃焼ガス流路
１２        ガス排出流路
１３        排気ファン
１５        還流路
２４        供給口
２５        ダクト
２６        排出口
Ａ          乾燥装置
Ｃ          チャンバー
Ｒ          乾燥室
【図１】
2020151024.tif 000003
【図２】
2020151024.tif 000004
【図３】
2020151024.tif 000005
【図４】
2020151024.tif 000006
【図５】
2020151024.tif 000007
【図６】
2020151024.tif 000008